(57)【要約】【課題】従来よりも形状や大きさが種々個性的に設計・製作された多様な点眼瓶に適応可能であり、しかも点眼瓶を簡単に挿着でき、点眼瓶の突抜けや脱落を生じ難い点眼補助具を提供する。【解決手段】上側開孔部３ａに点眼瓶を着脱自在に挿着し、該点眼瓶から目薬液を眼球に滴下させる際の補助を行う点眼補助具１であって、上側開孔部３ａを有する上側部材３と、上側部材３よりも低弾性である下側部材２とを備え、上側部材３と下側部材２は、夫々の中央に有する貫通孔を連通させるように一体化されており、点眼補助具１は、点眼瓶を介した被押圧による、上側開孔部の下部の口径拡がりを規制する規制部４ｂを有する。【選択図】図１１
2018110943.tif 000002
【特許請求の範囲】
【請求項１】
上側開孔部に点眼瓶を着脱自在に挿着し、該点眼瓶から目薬液を眼球に滴下させる際の補助を行う点眼補助具であって、
前記上側開孔部を有する上側部材と、
前記上側部材よりも低弾性である下側部材とを備え、
前記上側部材と前記下側部材は、夫々の中央に有する貫通孔を、連通させるように一体化されており、
該点眼補助具は、
前記点眼瓶を介した被押圧による、前記上側開孔部の下部の口径拡がりを規制する規制部を有することを特徴とする点眼補助具。
【請求項２】
該点眼補助具は、さらに、
前記上側部材よりも低弾性であり、前記下側部材に前記上側部材を固定する中間部材を備え、
前記規制部は、
前記中間部材の一部分であり、前記下側部材の上端に位置する連通用開孔よりも下側において、孔径が当該連通用開孔よりも小さい請求項１に記載の点眼補助具。
【請求項３】
前記上側部材は、
前記連通用開孔よりも上側に存在する孔上部と、前記連通用開孔よりも下側に存在する孔下部とを含み、
前記孔下部は、前記連通用開孔の周辺と前記中間部材との間に挟まれて固定されている請求項２に記載の点眼補助具。
【請求項４】
前記中間部材は、
リング状に繋がって前記規制部となる中心部分と、当該中心部分より半径方向に伸びるスリットとを有する請求項２に記載の点眼補助具。
【請求項５】
前記中間部材は、さらに、
摘むことにより前記スリットの間隔を縮める取り外し用ツマミを有する請求項４に記載の点眼補助具。
【請求項６】
前記規制部は、
前記下側部材の一部分であり、前記下側部材の上端に位置する連通用開孔よりも下側において、孔径が当該連通用開孔よりも小さい請求項１に記載の点眼補助具。
【請求項７】
前記規制部は、
前記上側部材の一部分であり、前記下側部材の上端に位置する連通用開孔よりも下側において、孔径が当該連通用開孔よりも小さく、且つ、厚肉構成である請求項１に記載の点眼補助具。
【請求項８】
前記上側開孔部は、内側が下窄まりの円筒状である請求項１〜７のいずれか１項に記載の点眼補助具。
【請求項９】
上側開孔部に点眼瓶を着脱自在に挿着し、該点眼瓶から目薬液を眼球に滴下させる際の補助を行う点眼補助具であって、
前記上側開孔部を有する上側部材と、
前記上側部材よりも低弾性である下側部材と、
前記上側部材よりも低弾性であり、前記下側部材に前記上側部材を固定する中間部材と
を備え、
前記上側部材、前記下側部材及び前記中間部材は、夫々の中央に有する貫通孔を、連通させるように一体化されていることを特徴とする点眼補助具。
【請求項１０】
前記中間部材は、
前記下側部材の上端に位置する連通用開孔よりも下側において、孔径が当該連通用開孔よりも小さく、前記点眼瓶を介した被押圧による、前記上側開孔部の下部の口径拡がりを規制する規制部を有する請求項９に記載の点眼補助具。
【発明の詳細な説明】
【技術分野】
【０００１】
本発明は、点眼瓶より目薬を注す際に用いる点眼補助具に関し、特に、形状や大きさが種々個性的に設計・製作された多様な点眼瓶に適応可能であり、しかも点眼瓶を簡単に挿着でき、点眼瓶の突抜けや脱落を生じ難い点眼補助具に関するものである。
【背景技術】
【０００２】
通常目薬を注す際には、まず顔を上に向け、点眼瓶を手に持ち、自身の眼球の真上に滴下口が来るように点眼瓶を持ち上げ、滴下口から目薬を滴下させる方法が一般的である。時には空いた方の手指で上瞼と下瞼を押し開けて点眼することもある。
【０００３】
しかしながら、目薬を自身の眼球に失敗なく滴下させるのは健常者でも案外難しいものであり、特に高齢者は視力が低下していたり、手が震えたりするのでなおさら難しい。
【０００４】
そこで、点眼瓶を安定的に挿着した状態を作ることで、該点眼瓶から目薬液を滴下させる様に工夫された点眼補助具が提案されている。
【０００５】
例えば、様々な首部分サイズの点眼瓶に対して使用可能であり、且つ点眼瓶を簡単に挿着できて点眼瓶滴下口と眼球との間隔が適度に保たれる点眼補助具が、特許文献１に開示されている。
【先行技術文献】
【特許文献】
【０００６】
【特許文献１】特開２００２−３６０６６０号公報
【発明の概要】
【発明が解決しようとする課題】
【０００７】
上記特許文献１には、上側開口部を弾性変形可能な素材で構成されたものとすることができる旨の記載がある。なるほど上側開口部を弾性変形可能な素材で構成することにより、様々な形状の点眼瓶に適用可能になるであろうとは考えられるが、他方に胴部分にはある程度の剛性が必要である。しかしながら、特許文献１の点眼補助具は、基本的に一体成形されたものであるため、上側開口部と胴部分との間に大きな弾性の差をつけるにしても大きな制約を受ける。また、上側開口部を柔らかくし過ぎると、小さな点眼瓶が下側に突き抜けて抜け落ちてしまう可能性が高くなるため、上側開口部を柔らかくするにも限界があり、様々な形状や大きさの点眼瓶に適用することは難しい。
【０００８】
本発明は以上のような従来の課題を考慮してなされたものであり、従来よりも形状や大きさが種々個性的に設計・製作された多様な点眼瓶に適応可能であり、しかも点眼瓶を簡単に挿着でき、点眼瓶の突抜けや脱落を生じ難い点眼補助具を提供することを目的とする。
【課題を解決するための手段】
【０００９】
本発明に係る点眼補助具は、上側開孔部に点眼瓶を着脱自在に挿着し、該点眼瓶から目薬液を眼球に滴下させる際の補助を行う点眼補助具であって、前記上側開孔部を有する上側部材と、前記上側部材よりも低弾性である下側部材とを備え、前記上側部材と前記下側部材は、夫々の中央に有する貫通孔を、連通させるように一体化されており、該点眼補助具は、前記下側部材の上端に位置する連通用開孔よりも下側に、前記点眼瓶を介した被押圧による、前記上側開孔部の下部の口径拡がりを規制する規制部を有することを特徴とす
る。
【００１０】
本発明に係る点眼補助具は、さらに、前記上側部材よりも低弾性であり、前記下側部材に前記上側部材を固定する中間部材を備え、前記規制部は、前記中間部材の一部分であり、前記下側部材の上端に位置する連通用開孔よりも下側において、孔径が当該連通用開孔よりも小さいことが好ましい。
【００１１】
本発明に係る点眼補助具において、前記上側部材は、前記連通用開孔よりも上側に存在する孔上部と、前記連通用開孔よりも下側に存在する孔下部とを含み、前記孔下部は、前記連通用開孔の周辺と前記中間部材との間に挟まれて固定されていることが好ましい。
【００１２】
本発明に係る点眼補助具において、前記中間部材は、リング状に繋がって前記規制部となる中心部分と、当該中心部分より半径方向に伸びるスリットとを有することが好ましい。
【００１３】
本発明に係る点眼補助具において、前記中間部材は、さらに、摘むことにより前記スリットの間隔を縮める取り外し用ツマミを有することが好ましい。
【００１４】
本発明に係る点眼補助具において、前記規制部は、前記下側部材の一部分であり、前記下側部材の上端に位置する連通用開孔よりも下側において、孔径が当該連通用開孔よりも小さいことが好ましい。
【００１５】
本発明に係る点眼補助具において、前記規制部は、前記上側部材の一部分であり、前記下側部材の上端に位置する連通用開孔よりも下側において、孔径が当該連通用開孔よりも小さく、且つ、厚肉であることが好ましい。
【００１６】
本発明に係る点眼補助具において、前記上側開孔部は、内側が下窄まりの円筒状であることが好ましい。
【００１７】
本発明に係る点眼補助具は、上側開孔部に点眼瓶を着脱自在に挿着し、該点眼瓶から目薬液を眼球に滴下させる際の補助を行う点眼補助具であって、前記上側開孔部を有する上側部材と、前記上側部材よりも低弾性である下側部材と、前記上側部材よりも低弾性であり、前記下側部材に前記上側部材を固定する中間部材とを備え、前記上側部材、前記下側部材及び前記中間部材は、夫々の中央に有する貫通孔を、連通させるように一体化されていることを特徴とする。
【００１８】
本発明に係る点眼補助具において、前記中間部材は、前記下側部材の上端に位置する連通用開孔よりも下側において、孔径が当該連通用開孔よりも小さく、前記点眼瓶を介した被押圧による、前記上側開孔部の下部の口径拡がりを規制する規制部を有することが好ましい。
【発明の効果】
【００１９】
本発明に係る点眼補助具は、点眼瓶を介した被押圧による上側開孔部の下部の口径拡がりを規制する規制部を有することにより、上側部材が十分に柔らかい素材であっても、規制部がストッパーとなり、点眼瓶が抜け落ちてしまう心配がないから、従来よりも形状や大きさが種々個性的に設計・製作された多様な点眼瓶に適応可能である。また、上側部材に十分に柔らかい素材を使用することにより、点眼瓶を簡単に挿着でき、且つ点眼瓶の突抜けや脱落が生じ難い。
また、本発明に係る点眼補助具が下側部材に上側部材を固定する中間部材を備える場合には、下側部材に上側部材を確実に固定することができ、中間部材を備えない場合に較べ
固定のために下側部材及び上側部材の形状を複雑にする必要がない。特に、中間部材が上記規制部を有する場合には、中間部材を備えない場合に較べ当該規制部を設けるために下側部材又は上側部材の形状を複雑にする必要がない。よって、下側部材及び上側部材の成形が容易となるため、総合的に生産コストを下げることができる。
【図面の簡単な説明】
【００２０】
【図１】本発明に係る実施形態１の点眼補助具を示す外観図である。
【図２】下側部材を示す外観図である。
【図３】下側部材の正面図である。
【図４】下側部材の断面図である。
【図５】上側部材を示す外観図である。
【図６】上側部材の正面図である。
【図７】上側部材の断面図である。
【図８】中間部材を示す外観図である。
【図９】中間部材の正面図である。
【図１０】中間部材の断面図である。
【図１１】点眼補助具を、中心を通る垂線を含む平面で切断した場合の断面図である。
【図１２】実施形態２の点眼補助具１１を、中心を通る垂線を含む平面で切断した場合の断面図である。
【図１３】実施形態３の点眼補助具２１を、中心を通る垂線を含む平面で切断した場合の断面図である。
【発明を実施するための形態】
【００２１】
＜実施形態１＞
以下、図面に示した実施形態に基づいて本発明を詳細に説明する。
【００２２】
図１は、本発明に係る実施形態１の点眼補助具を示す外観図である。
【００２３】
図１に示す点眼補助具１は、上側部材３に点眼瓶を着脱自在に挿着し、点眼瓶から目薬を自身の眼球に失敗なく滴下させる際の補助を行う器具であり、下側部材２、上側部材３及び中間部材４を備える。上側部材３、下側部材２及び中間部材４は、夫々の中央に有する貫通孔を連通させるように一体化されている。
【００２４】
図２は下側部材を示す外観図であり、図３は下側部材の正面図であり、図４は、下側部材を中心線Ｘを含む平面で切断した場合の断面図である。
【００２５】
下側部材２は、使用する状態で点眼補助具１の下側に位置し、比較的弾性が低く上側部材３よりも低弾性であり、使用者の瞼周辺に当接されて使用される下側開孔部２ａと、下側部材２の上端に位置する連通用開孔２ｂとを有する。下側部材２の材質は、ポリプロピレンやエチレンアクリルなどの大きく弾性変形しない堅めの合成樹脂であることが好ましい。なお下側開孔部２ａは、人間の瞼周辺の形状に対応するようにカーブしていることが好ましい。また、下側開孔部２ａの周縁を面取りして丸みを付けたり、該周縁に弾性が高い部材を設けて使用者の肌に当接される部分を柔らかくすることが好ましい。また、意匠性の向上と点眼補助具１を持ち易くし、且つ目印にする目的で、下側部材２の外側に窪み２ｃを前後に２つ設けている。また、組み立てたときに中間部材４を外れないように固定する目的で、下側部材２の内側に突起２ｄを設けている。
【００２６】
下側部材２の下側開孔部２ａの周縁を除く本体部分の曲げこわさは、６００〜１５００ＭＰａ（６０００〜１５０００ｋｇｆ／ｃｍ２［測定法：ＪＩＳ＿Ｋ＿７１０６の曲げこ
わさ試験方法による］）であることが好ましい。
【００２７】
図５は、上側部材を示す外観図であり、図６は上側部材の正面図であり、図７は、上側部材を中心線Ｙを含む平面で切断した場合の断面図である。
【００２８】
上側部材３は、使用する状態で点眼補助具１の上側に位置し、下側部材２よりも高弾性であり、点眼瓶を挿着する上側開孔部３ａを有する。上側部材３の材質は、シリコンゴムなどの弾性変形可能な合成樹脂であることが好ましい。
【００２９】
上側部材３の曲げこわさは、１〜１００ＭＰａ（１０〜１０００ｋｇｆ／ｃｍ２）であることが好ましい。上側部材３の曲げこわさが１ＭＰａ（１０ｋｇｆ／ｃｍ２）未満であると、柔らか過ぎて点眼瓶首部分をしっかりと掴むことができなくなる懸念があるからである。一方上側部材３の曲げこわさが１００ＭＰａ（１０００ｋｇｆ／ｃｍ２）を超えると、弾性変形による把持効果があまり発揮されなくなるからである。より好ましくは上側部材３の曲げこわさは、３ＭＰａ（３０ｋｇｆ／ｃｍ２）以上、３０ＭＰａ（３００ｋｇｆ／ｃｍ２）以下である。
【００３０】
なお上側開孔部３ａは、内部が下窄まりの円筒状であることが好ましく、点眼瓶の首部分を上側開孔部３ａに挿入した際、首部分の太い点眼瓶の場合は上方で留まり、一方首部分の細い点眼瓶の場合は下方で留まることになる。例えば上側開孔部３ａの最上部の内径を約２０ｍｍ、最下部の内径を約１２ｍｍであり、下側に向かって徐々に狭くする。なお、最上部の内径の好ましい範囲は１５〜２５ｍｍ、最下部の内径の好ましい範囲は１０〜１５ｍｍであり、最上部の内径と最下部の内径の好ましい口径差は２．５〜７．５ｍｍ、最上部と最下部との距離は５〜２０ｍｍ程度が好ましい。
【００３１】
図８は、中間部材を示す外観図であり、図９は中間部材の正面図であり、図１０は、中心線Ｚを含む平面で中間部材を切断した場合の断面図である。
【００３２】
中間部材４は、上側部材３よりも低弾性であり、下側部材２に上側部材３を固定する。中間部材４の材質は、下側部材２と同様に、ポリプロピレンやエチレンアクリルなどのように大きく弾性変形しない堅めの合成樹脂であることが好ましい。なお、中間部材４は、上側開孔部３ａの最も狭まった部分と較べて、孔径が同等又は大きい係止孔４ａを有することが好ましい。また中間部材４は、係止孔４ａの周辺に、円筒形状の規制部４ｂを有し、規制部４ｂのおよそ上半分の部分がリング状に繋がっており、規制部４ｂのおよそ上半分以外の部分が半径方向に伸びる複数のスリット４ｃにより分断されていることが好ましい。また中間部材４は、スリット４ｃの少なくとも１つの周辺に、摘むことによりスリット４ｃの間隔を縮める取り外し用のツマミ４ｄを有することが好ましい。
【００３３】
中間部材４の曲げこわさは、６００〜１５００ＭＰａ（６０００〜１５０００ｋｇｆ／ｃｍ２）であることが好ましい。
【００３４】
図１１は、点眼補助具１を、中心を通る垂線を含む平面で切断した場合の断面図である。
【００３５】
図１１に示すように上側部材３には、上側開孔部３ａの最下部周辺の内部に空洞Ａを設けて、弾性変形し易い構造にしている。さらに、空洞Ａ内に中間部材４の規制部４ｂを入れることにより、点眼瓶の抜け落ち防止の役目を担っている。よって規制部４ｂは、連通用開孔２ｂ（図２参照）より下側に位置し、孔径が連通用開孔２ｂよりも小さいことを特徴とし、点眼瓶を介した被押圧による上側開孔部３ａの下部の口径拡がりを規制する役割を果たしている。なお、実施形態１においては中間部材４の一部分を規制部４ｂとし、上
側開孔部３ａの下部の口径拡がりを規制したが、同様の特徴を備える規制部を、下側部材２又は上側部材３に設けることもできる。
【００３６】
以上のように、実施形態１に係る点眼補助具１は、下側部材２の上端に位置する連通用開孔２ｂよりも下側に、点眼瓶を介した被押圧による上側開孔部３ａの下部の口径拡がりを規制する規制部４ｂを有することにより、上側部材３に十分に柔らかい素材を用いても、中間部材４に設けられた規制部４ｂがストッパーとなり、点眼瓶が抜け落ちてしまう心配がない。よって、従来よりも形状や大きさが種々個性的に設計・製作された多様な点眼瓶に適応可能であり、しかも点眼瓶を簡単に挿着でき、点眼瓶の突抜けや脱落を生じ難い。
【００３７】
＜実施形態２＞
図１２は、実施形態２の点眼補助具１１を、中心を通る垂線を含む平面で切断した場合の断面図である。ここで実施形態１の点眼補助具１と同様の構成要素には同一番号を記す。
【００３８】
図１２に示すように実施形態２の点眼補助具１１は、下側部材１２、及び上側部材３を備える。上側部材３、下側部材１２は、夫々の中央に有する貫通孔を連通させるように一体化されている。
【００３９】
下側部材１２は、実施形態１の下側部材２と比べて形状のみが異なっており、突起２ｄの代わりに規制部１２ａを設けている。
【００４０】
規制部１２ａは下側部材１２の一部分であり、連通用開孔２ｂより下側において、孔径が連通用開孔２ｂよりも小さく、点眼瓶を介した被押圧による上側開孔部３ａの下部の口径拡がりを規制することができる。
【００４１】
以上のように、実施形態２に係る点眼補助具１１は、下側部材１２の上端に位置する連通用開孔２ｂよりも下側に、点眼瓶を介した被押圧による上側開孔部３ａの下部の口径拡がりを規制する規制部１２ａを有することにより、上側部材３に十分に柔らかい素材を用いても、下側部材１２に設けられた規制部１２ａがストッパーとなり、点眼瓶が抜け落ちてしまう心配がない。よって、従来よりも形状や大きさが種々個性的に設計・製作された多様な点眼瓶に適応可能であり、しかも点眼瓶を簡単に挿着でき、点眼瓶の突抜けや脱落を生じ難い。
【００４２】
＜実施形態３＞
図１３は、実施形態３の点眼補助具２１を、中心を通る垂線を含む平面で切断した場合の断面図である。ここで実施形態１の点眼補助具１と同様の構成要素には同一番号を記す。
【００４３】
図１３に示すように実施形態３の点眼補助具２１は、下側部材２２、及び上側部材２３を備える。上側部材２３、下側部材２２は、夫々の中央に有する貫通孔を連通させるように一体化されている。
【００４４】
下側部材２２は、実施形態１の下側部材２と比べて突起２ｄを設けていない点のみが異なる。
【００４５】
上側部材２３は、実施形態１の上側部材３と比べて規制部２３ａを設けている点のみが異なる。
【００４６】
規制部２３ａは、上側部材２３の一部分であり、連通用開孔２ｂより下側において、孔径が連通用開孔２ｂよりも小さく、且つ、厚肉構成であり、点眼瓶を介した被押圧による上側開孔部３ａの下部の口径拡がりを規制することができる。
【００４７】
以上のように、実施形態３に係る点眼補助具２１は、下側部材２２の上端に位置する連通用開孔２ｂよりも下側に、点眼瓶を介した被押圧による上側開孔部３ａの下部の口径拡がりを規制する規制部２３ａを有することにより、上側部材２３に十分に柔らかい素材を用いても、上側部材２３に設けられた規制部２３ａがストッパーとなり、点眼瓶が抜け落ちてしまう心配がない。よって、従来よりも形状や大きさが種々個性的に設計・製作された多様な点眼瓶に適応可能であり、しかも点眼瓶を簡単に挿着でき、点眼瓶の突抜けや脱落を生じ難い。
【符号の説明】
【００４８】
１    点眼補助具
２    下側部材
２ａ  下側開孔部
２ｂ  連通用開孔
２ｃ  窪み
２ｄ  突起
３    上側部材
３ａ  上側開孔部
４    中間部材
４ａ  係止孔
４ｂ  規制部
４ｃ  スリット
４ｄ  ツマミ
１１    点眼補助具
１２    下側部材
１２ａ  規制部
２１    点眼補助具
２２    下側部材
２３    上側部材
２３ａ  規制部
【図１】
2018110943.tif 000003
【図２】
2018110943.tif 000004
【図３】
2018110943.tif 000005
【図４】
2018110943.tif 000006
【図５】
2018110943.tif 000007
【図６】
2018110943.tif 000008
【図７】
2018110943.tif 000009
【図８】
2018110943.tif 000010
【図９】
2018110943.tif 000011
【図１０】
2018110943.tif 000012
【図１１】
2018110943.tif 000013
【図１２】
2018110943.tif 000014
【図１３】
2018110943.tif 000015
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
開孔部を有する上側部材と、
開孔部を有し、前記上側部材よりも低弾性である下側部材とを備え、
前記上側部材の開孔部と前記下側部材の開孔部とが連通しており、
前記上側部材は、下部に内筒部と外筒部を有し、前記内筒部と前記外筒部とが互いに離間していることを特徴とする点眼補助具。
【請求項２】
前記上側部材は、上部に上端から下方に向かって孔の径が小さくなるように形成されるテーパー部を有している請求項１に記載の点眼補助具。
【請求項３】
開孔部を有する上側部材と、
開孔部を有し、前記上側部材よりも低弾性である下側部材とを備え、
前記上側部材の開孔部と前記下側部材の開孔部とが連通しており、
前記下側部材の上端から前記上側部材の下端までの長さは、前記下側部材の上端から前記上側部材の上端までの長さよりも短いことを特徴とする点眼補助具。
【請求項４】
前記上側部材の開孔部は、内側が下窄まりの円筒状である請求項３に記載の点眼補助具。
【請求項５】
前記上側部材の開孔部の下部の口径拡がりを規制する規制部を有し、
前記規制部は、
前記下側部材の一部分であり、前記下側部材の上端に位置する連通用開孔よりも下側において、孔径が当該連通用開孔よりも小さい請求項１〜４のいずれか一項に記載の点眼補助具。
【請求項６】
前記上側部材の開孔部の下部の口径拡がりを規制する規制部を有し、
前記規制部は、
前記上側部材の一部分であり、前記下側部材の上端に位置する連通用開孔よりも下側において、孔径が当該連通用開孔よりも小さい請求項１〜４のいずれか一項に記載の点眼補助具。